(57)【要約】【課題】Dual ConnectivityにおいてＰＨＲの送信優先度を制御することにより、スループットの向上を図る。【解決手段】異なる基地局の配下のコンポーネントキャリアを用いて通信する移動局は、パワーヘッドルームの送信条件が満足されたか否かを判定し、パワーヘッドルームを算出するパワーヘッドルーム算出部と、いずれかの基地局に対してパワーヘッドルームの送信条件を満足する場合に、パワーヘッドルームの送信条件が当該基地局に対して満足されたか否かによって、パワーヘッドルームを送信するときの送信優先度を制御する優先度制御部と、送信優先度に基づいて、パワーヘッドルームを送信する送信部とを有する。【選択図】図２
2015226283.tif 000002
【特許請求の範囲】
【請求項１】
異なる基地局の配下のコンポーネントキャリアを用いて通信する移動局であって、
パワーヘッドルームの送信条件が満足されたか否かを判定し、パワーヘッドルームを算出するパワーヘッドルーム算出部と、
いずれかの基地局に対してパワーヘッドルームの送信条件を満足する場合に、パワーヘッドルームの送信条件が当該基地局に対して満足されたか否かによって、パワーヘッドルームを送信するときの送信優先度を制御する優先度制御部と、
送信優先度に基づいて、パワーヘッドルームを送信する送信部と、
を有する移動局。
【請求項２】
前記優先度制御部は、パワーヘッドルームの送信条件が当該基地局に対して満足されていない基地局に対してパワーヘッドルームを送信するときに、パワーヘッドルームの送信優先度を下げる、請求項１に記載の移動局。
【請求項３】
前記優先度制御部は、パワーヘッドルームの送信優先度を、特定のデータ又は制御情報の送信優先度より下げる、請求項２に記載の移動局。
【請求項４】
前記優先度制御部は、パワーヘッドルームの送信条件を満足してから所定期間経過した場合、パワーヘッドルームの送信優先度を上げる、請求項１乃至３のうちいずれか１項に記載の移動局。
【請求項５】
送信バッファ内のデータ量と、パワーヘッドルームのデータ量とを加えたデータ量のリソースを要求するリソース要求部を更に有する、請求項１乃至４のうちいずれか１項に記載の移動局。
【請求項６】
異なる基地局の配下のコンポーネントキャリアを用いて通信する移動局におけるパワーヘッドルーム送信方法であって、
パワーヘッドルームの送信条件が満足されたか否かを判定し、パワーヘッドルームを算出するステップと、
いずれかの基地局に対してパワーヘッドルームの送信条件を満足する場合に、パワーヘッドルームの送信条件が当該基地局に対して満足されたか否かによって、パワーヘッドルームを送信するときの送信優先度を制御するステップと、
送信優先度に基づいて、パワーヘッドルームを送信するステップと、
を有するパワーヘッドルーム送信方法。
【発明の詳細な説明】
【技術分野】
【０００１】
本発明は、移動局及びパワーヘッドルーム送信方法に関する。
【背景技術】
【０００２】
現在、３ＧＰＰ（3rd Generation Partnership Project）は、ＬＴＥ（Long Term Evolution）の次世代の通信規格として、ＬＴＥ−Ａｄｖａｎｃｅｄの高機能化を図る仕様策定を進めている。ＬＴＥ−Ａｄｖａｎｃｅｄシステムでは、ＬＴＥシステムとのバックワードコンパチビリティを確保しつつ、ＬＴＥシステムを上回るスループットを実現するため、キャリアアグリゲーション（ＣＡ：Carrier Aggregation）技術が導入される。キャリアアグリゲーションでは、ＬＴＥシステムによりサポートされている２０ＭＨｚの最大帯域幅を有するコンポーネントキャリア（ＣＣ：Component Carrier）が基本コンポーネントとして利用され、これら複数のコンポーネントキャリアを同時に用いることによって、より広帯域な通信を実現することが図られている。
【０００３】
キャリアアグリゲーションでは、移動局（ＵＥ：User Equipment）は、複数のコンポーネントキャリアを同時に用いて基地局（ｅＮＢ：evolved NodeB）と通信することが可能である。キャリアアグリゲーションでは、移動局との接続性を担保する信頼性の高いプライマリセル（ＰＣｅｌｌ：Primary Cell）と、プライマリセルに接続中の移動局に追加的に設定されるセカンダリセル（ＳＣｅｌｌ：Secondary Cell）とが設定される。
【０００４】
プライマリセルは、ＬＴＥシステムのサービングセルと同様のセルであり、移動局とネットワークとの間の接続性を担保するためのセルである。他方、セカンダリセルは、プライマリセルに追加されて移動局に設定されるセルである。セカンダリセルの追加及び削除は、ＲＲＣ（Radio Resource Control）のコンフィギュレーション（Configuration）により実行される。
【０００５】
ＬＴＥ  Ｒｅｌｅａｓｅ  １１（Ｒｅｌ−１１）までのキャリアアグリゲーションでは、図１（Ａ）に示されるように、移動局が同一の基地局により提供される複数のコンポーネントキャリアを用いて同時通信することが規定されている。また、同一の基地局が異なる地点に配置した送受信ポイントを複数用いて協調送受信する協調マルチポイント送受信方式（ＣｏＭＰ：Coordinated MultiPoint）も規定されている。同一の基地局によるＣＡ及びＣｏＭＰは、Ｉｎｔｒａ−ｅＮＢ  ＣｏＭＰ／ＣＡとも呼ばれる。
【０００６】
一方、Ｒｅｌ−１２では、Ｒｅｌ−１０のキャリアアグリゲーションがさらに拡張され、図１（Ｂ）に示されるように、移動局が複数の基地局により提供される複数のコンポーネントキャリアを用いて同時通信するデュアル・コネクティビティ（Dual Connectivity）が検討されている。Dual ConnectivityにおけるＣＡ及びＣｏＭＰは、Ｉｎｔｅｒ−ｅＮＢ  ＣｏＭＰ／ＣＡとも呼ばれる。例えば、全てのコンポーネントキャリアを単一の基地局内に収容できない場合、Ｒｅｌ−１１と同程度のスループットを実現するためには、Dual Connectivityが効果的に利用されると考えられる。一方、Ｉｎｔｅｒ−ｅＮＢ  ＣｏＭＰ／ＣＡでは複数の基地局が遅延の無視できないバックホールで接続されるため、Ｉｎｔｒａ−ｅＮＢ  ＣｏＭＰ／ＣＡとは異なる検討が必要とされている（非特許文献１参照）。
【先行技術文献】
【非特許文献】
【０００７】
【非特許文献１】3GPP TR36.842 V12.0.0 (2013-12), "Study on Small Cell enhancements for E-UTRA and E-UTRAN; Higher layer aspects"
【発明の概要】
【発明が解決しようとする課題】
【０００８】
移動局は、基地局からの送信電力制御コマンドに基づいて送信電力を制御する。例えば、物理上りリンクチャネル（ＰＵＳＣＨ：Physical Uplink Shared Channel）の送信電力PPUSCH,c(i)は以下の式に従って決定される。
【０００９】
【数１】
2015226283.tif 000003
ただし、PPUSCH,c(i)は第ｉサブフレームにおけるＰＵＳＣＨの送信電力値である。PCMAX,c(i)は移動局の最大送信電力（必要な電力バックオフの考慮後）である。MPUSCH,c(i)は第ｉサブフレームに割り当てられたＰＵＳＣＨ送信用のリソースブロック数である。PO_PUSCH,c(j)は予め決められたＰＵＳＣＨの基準となる電力オフセット（報知パラメータ）である。αc(j)はパスロスに乗算する係数（報知パラメータ）である。PLcはパスロス（伝搬損）である。ΔTF,c(i)は変調方式及び符号化率に基づく電力オフセットである。fc(i)は基地局から指示されたＰＵＳＣＨに関する送信電力制御コマンドの累積値である。
【００１０】
また、基地局では、送信電力の算出に用いる各コンポーネントキャリアのパスロスが未知であるため、例えば移動局においてパスロスが変化した際に、パワーヘッドルーム（ＰＨＲ：Power Headroom）をフィードバックさせている。移動局のパワーヘッドルームPHtype1,c(i)は以下の式に従って決定される。
【００１１】
【数２】
2015226283.tif 000004
なお、上記の式におけるPHtype1,c(i)は、Type 1と呼ばれるＰＨＲであり、Type 2のＰＨＲが用いられる場合には、Type 1のＰＨＲに加えてType 2のＰＨＲも報告される。
【００１２】
送信電力が最大送信電力PCMAX,c(i)に張り付いた場合、実際の送信電力はPCMAX,c(i)となり、パワーヘッドルームPHtype1,c(i)は、上記の式に基づいて負の値が通知される。
【００１３】
Dual Connectivityにおいて、ＰＨＲは以下の送信条件を満たすときに、以下の基地局に報告される。
【００１４】
（１）パスロスが変化した場合、双方の基地局に報告される。
【００１５】
（２）パワーマネジメントのバックオフ（Ｐ−ＭＰＲ：Power Management Maximum Power Reduction）が変化した場合、双方の基地局に報告される。
【００１６】
（３）ＳＣｅｌｌがアクティベーションされた場合、双方の基地局に報告される。
【００１７】
（４）ＰＨＲのコンフィギュレーションが追加される場合、対応する基地局にのみ報告される。
【００１８】
（５）ＰＨＲ報告周期になった場合（Periodic PHR Timerが満了した場合）、対応する基地局にのみ報告される。
【００１９】
このように、ＰＨＲの送信条件により、ＰＨＲの報告先の基地局が異なる。例えば、上記の送信条件のうち（１）〜（３）については、一方の基地局にとってＰＨＲの報告は有用であるが、他方の基地局にとってＰＨＲの報告は必要ない可能性がある。
【００２０】
緊急度の高くないＰＨＲが他のデータよりも先にＭＡＣ  ＰＤＵ（Media Access Control Protocol Data Unit）に格納された場合、基地局は必要なデータを迅速に受信することができなくなり、スループットの低下や接続性の低下を招くおそれがある。
【００２１】
本発明は、Dual ConnectivityにおいてＰＨＲの送信優先度を制御することにより、スループットの向上を図ることを目的とする。
【課題を解決するための手段】
【００２２】
本発明の一形態に係る移動局は、
異なる基地局の配下のコンポーネントキャリアを用いて通信する移動局であって、
パワーヘッドルームの送信条件が満足されたか否かを判定し、パワーヘッドルームを算出するパワーヘッドルーム算出部と、
いずれかの基地局に対してパワーヘッドルームの送信条件を満足する場合に、パワーヘッドルームの送信条件が当該基地局に対して満足されたか否かによって、パワーヘッドルームを送信するときの送信優先度を制御する優先度制御部と、
送信優先度に基づいて、パワーヘッドルームを送信する送信部と、
を有することを特徴とする。
【００２３】
本発明の一形態に係るパワーヘッドルーム送信方法は、
異なる基地局の配下のコンポーネントキャリアを用いて通信する移動局におけるパワーヘッドルーム送信方法であって、
パワーヘッドルームの送信条件が満足されたか否かを判定し、パワーヘッドルームを算出するステップと、
いずれかの基地局に対してパワーヘッドルームの送信条件を満足する場合に、パワーヘッドルームの送信条件が当該基地局に対して満足されたか否かによって、パワーヘッドルームを送信するときの送信優先度を制御するステップと、
送信優先度に基づいて、パワーヘッドルームを送信するステップと、
を有することを特徴とする。
【発明の効果】
【００２４】
本発明によれば、Dual ConnectivityにおいてＰＨＲの送信優先度を制御することにより、スループットの向上を図ることが可能になる。
【図面の簡単な説明】
【００２５】
【図１】ＣｏＭＰ／ＣＡの概略図
【図２】本発明の実施例に係る無線通信システムの概略図
【図３】本発明の実施例に係る移動局の構成図
【図４】本発明の実施例に係る移動局のＰＨＲ送信方法を示すフローチャート
【図５】ＰＨＲ送信タイマを用いたときのＰＨＲ送信の概略図（その１）
【図６】ＰＨＲ送信タイマを用いたときのＰＨＲ送信の概略図（その２）
【図７】ＰＨＲ送信タイマを用いたときのＰＨＲ送信の概略図（その３）
【図８】ＰＨＲのデータ量を加味したＢＳＲを用いるときのＰＨＲ送信の概略図
【発明を実施するための形態】
【００２６】
以下、図面に基づいて本発明の実施例について説明する。
【００２７】
本発明の実施例では、異なる基地局の配下のコンポーネントキャリアを用いて通信する移動局を含む通信システムについて説明する。キャリアアグリゲーション（ＣＡ）の中でも、移動局が異なる基地局の配下のコンポーネントキャリア（ＣＣ）を用いて通信する接続形態をDual Connectivityと呼ぶ。Dual Connectivityにおいて、プライマリセル（ＰＣｅｌｌ）に対応する基地局は、マスター基地局（ＭｅＮＢ：Master eNB）と呼ばれ、セカンダリセル（ＳＣｅｌｌ）に対応する基地局は、セカンダリ基地局（ＳｅＮＢ：Secondary eNB）と呼ばれる。
【００２８】
基地局は、送信電力制御コマンドを用いて、移動局の送信電力を制御する。送信電力の制御のために、基地局は、送信電力の算出に用いる各コンポーネントキャリアのパスロスが未知であるため、移動局にパワーヘッドルーム（ＰＨＲ：Power Headroom）をフィードバックさせている。ＰＨＲとは、移動局の最大送信電力と実際の送信電力との差である。
【００２９】
Dual Connectivityでは、ＭｅＮＢとＳｅＮＢとの双方が送信電力を制御する。従って、ＰＨＲはＭｅＮＢとＳｅＮＢとの双方に報告される場合があるが、本発明の実施例では、ＰＨＲの送信条件が満足されていない基地局にＰＨＲが送信される場合、ＰＨＲの送信優先度を下げることにより、スループットの向上を図る。
【００３０】
＜通信システムの構成＞
図２に、本発明の実施例に係る無線通信システムの概略図を示す。無線通信システムは、移動局（ＵＥ）及び基地局（ＭｅＮＢ及びＳｅＮＢ）を有する。無線通信システムは、移動局が複数の基地局により提供されるコンポーネントキャリアを用いて同時通信するDual Connectivityをサポートし、移動局は、Dual Connectivity機能を利用して、マスター基地局（ＭｅＮＢ）及びセカンダリ基地局（ＳｅＮＢ）と通信する。
【００３１】
移動局は、複数の基地局と同時通信するDual Connectivity機能を有する。典型的には、移動局は、スマートフォン、携帯電話、タブレット、モバイルルータなどの無線通信機能を備えた何れか適切な情報処理装置であってもよい。移動局は、プロセッサなどのＣＰＵ（Central Processing Unit）、ＲＡＭ（Random Access Memory）やフラッシュメモリなどのメモリ装置、基地局との間で無線信号を送受信するための無線通信装置などから構成される。例えば、後述される移動局の各機能及び処理は、メモリ装置に格納されているデータやプログラムをＣＰＵが処理又は実行することによって実現されてもよい。しかしながら、移動局は、上述したハードウェア構成に限定されず、後述する処理の１以上を実現する回路などにより構成されてもよい。
【００３２】
基地局は、移動局と無線接続することによって、コアネットワーク（図示せず）上に通信接続された上位局やサーバなどのネットワーク装置から受信した下りリンク（ＤＬ）パケットを移動局に送信すると共に、移動局から受信した上りリンク（ＵＬ）パケットをネットワーク装置に送信する。図示された実施例では、一方の基地局がマスター基地局（ＭｅＮＢ）又はプライマリ基地局として機能し、他方の基地局がセカンダリ基地局（ＳｅＮＢ）として機能する。Dual Connectivityでは、ＭｅＮＢが、移動局と双方の基地局との間のDual Connectivityによる同時通信を制御すると共に、上位のコアネットワーク（図示せず）との間の通信を制御する。一方、送信電力制御については、ＭｅＮＢとＳｅＮＢとの双方が独立に送信電力を制御する。
【００３３】
例えば、移動局は、パスロスが変化した場合、双方の基地局にＰＨＲを送信する。しかし、図２（Ａ）に示すように、ＭｅＮＢのみに対するパスロスが変化し、ＳｅＮＢに対するパスロスが変化しない場合、ＳｅＮＢに対するＰＨＲの緊急度は低いと想定される。このようにＭｅＮＢ配下のセルでＰＨＲの送信条件を満たす場合、ＳｅＮＢにＰＨＲを送信するときの送信優先度を下げる。ＭｅＮＢにＰＨＲを送信するときの送信優先度は通常の送信優先度とする。
【００３４】
同様に、図２（Ｂ）に示すように、ＳｅＮＢのみに対するパスロスが変化し、ＭｅＮＢに対するパスロスが変化しない場合、ＭｅＮＢに対するＰＨＲの緊急度は低いと想定される。このようにＳｅＮＢ配下のセルでＰＨＲの送信条件を満たす場合、ＭｅＮＢにＰＨＲを送信するときの送信優先度を下げる。ＳｅＮＢにＰＨＲを送信するときの送信優先度は通常の送信優先度とする。
【００３５】
なお、ＰＨＲを双方の基地局に送信するための送信条件は、パスロスの変化に限らず、パワーマネジメントのバックオフ（Ｐ−ＭＰＲ）の変化、ＳＣｅｌｌのアクティベーション等でもよい。
【００３６】
ＰＨＲの送信優先度を、例えば特定のデータ又は制御情報の送信優先度より下げることにより、特定のデータ又は制御情報を迅速に送信することが可能になる。
【００３７】
＜移動局の構成＞
図３に、本発明の実施例に係る移動局１０の構成図を示す。移動局１０は、下りリンク（ＤＬ）信号受信部１０１と、上りリンク（ＵＬ）信号送信部１０３と、ＰＨＲ算出部１０５と、データ管理部１０７と、優先度制御部１０９と、タイマ管理部１１１と、リソース要求部１１３とを有する。
【００３８】
ＤＬ信号受信部１０１は、基地局からの下りリンクの信号を受信する。送信電力の制御のため、ＤＬ信号受信部２０１は、基地局から送信電力制御コマンドを受信する。Dual Connectivityにおいて、送信電力制御コマンドは、ＭｅＮＢとＳｅＮＢとの双方の基地局から独立に送信される。
【００３９】
ＵＬ信号送信部１０３は、基地局への上りリンクの信号を送信する。送信電力の制御のため、ＵＬ信号送信部１０３は、ＰＨＲを基地局に送信する。Dual Connectivityにおいて、ＰＨＲはＭｅＮＢとＳｅＮＢとの双方の基地局に送信される。
【００４０】
ＰＨＲ算出部１０５は、ＰＨＲの送信条件が満足されたか否かを判定し、ＰＨＲを算出する。ＰＨＲの送信条件には、（１）パスロスの変化、（２）パワーマネジメントのバックオフ（Ｐ−ＭＰＲ）の変化、（３）ＳＣｅｌｌのアクティベーション、（４）ＰＨＲのコンフィギュレーションの追加、（５）ＰＨＲ周期的な報告（Periodic PHR Timerの満了）が含まれる。上記のように、ＰＨＲは、例えば以下の式に従って算出される。
【００４１】
【数３】
2015226283.tif 000005
データ管理部１０７は、基地局に送信するデータ及び制御情報を格納する送信バッファである。例えば、データ管理部１０７には、ＰＨＲに加えて、移動局の識別子を示すＣ−ＲＮＴＩ（Cell-Radio Network Temporary Identifier）ＭＡＣ  ＣＥ（MAC Control Element）、共通制御チャネル（ＣＣＣＨ：Common Control Channel）の制御情報、バッファステータスレポート（ＢＳＲ：Buffer Status Report）ＭＡＣ  ＣＥ（パディングＢＳＲ以外）、送信データ（ＣＣＣＨ以外）、パディングＢＳＲ等が格納される。
【００４２】
優先度制御部１０９は、いずれかの基地局に対してパワーヘッドルームの送信条件を満足する場合に、ＰＨＲの送信条件が当該基地局に対して満足されたか否かによって、ＰＨＲを送信するときの送信優先度を制御する。具体的には、優先度制御部１０９は、ＭｅＮＢ配下のセルでＰＨＲの送信条件を満たす場合、ＳｅＮＢにＰＨＲを送信するときの送信優先度を下げ、ＳｅＮＢ配下のセルでＰＨＲの送信条件を満たす場合、ＭｅＮＢにＰＨＲを送信するときの送信優先度を下げる。優先度制御部１０９は、ＰＨＲの送信優先度をデータ管理部１０７に通知し、データ管理部１０７に格納されたデータ及び制御情報を並び替えてもよい。
【００４３】
ＰＨＲは、通常では以下の送信優先度で送信される。
【００４４】
（１）Ｃ−ＲＮＴＩ  ＭＡＣ  ＣＥ又はＣＣＣＨ
（２）ＢＳＲ  ＭＡＣ  ＣＥ（パディングＢＳＲ以外）
（３）ＰＨＲ
（４）送信データ（ＣＣＣＨ以外）
（５）ＢＳＲ  ＭＡＣ  ＣＥ（パディングＢＳＲ）
ＰＨＲの送信条件が満足されていない基地局に対してＰＨＲを送信するときに、優先度制御部１０９は、以下の送信優先度を設定してもよい。
【００４５】
（１）Ｃ−ＲＮＴＩ  ＭＡＣ  ＣＥ又はＣＣＣＨ
（２）ＢＳＲ  ＭＡＣ  ＣＥ（パディングＢＳＲ以外）
（３）送信データ（ＣＣＣＨ以外）
（４）ＰＨＲ
（５）ＢＳＲ  ＭＡＣ  ＣＥ（パディングＢＳＲ）
或いは、優先度制御部１０９は、以下の送信優先度を設定してもよい。
【００４６】
（１）Ｃ−ＲＮＴＩ  ＭＡＣ  ＣＥ又はＣＣＣＨ
（２）ＢＳＲ  ＭＡＣ  ＣＥ（パディングＢＳＲ以外）
（３）送信データ（ＣＣＣＨ以外）
（４）ＢＳＲ  ＭＡＣ  ＣＥ（パディングＢＳＲ）
（５）ＰＨＲ
或いは、優先度制御部１０９は、以下の送信優先度を設定してもよい。
【００４７】
（１）Ｃ−ＲＮＴＩ  ＭＡＣ  ＣＥ又はＣＣＣＨ
（２）ＢＳＲ  ＭＡＣ  ＣＥ（パディングＢＳＲ以外）
（３）送信データ（ＣＣＣＨ以外の特定の論理チャネル、例えば、ＳＲＢ（Signaling Radio Bearer）がマッピングされるもの）
（４）ＰＨＲ
（５）送信データ（ＣＣＣＨ以外の特定の論理チャネル、例えば、ＤＲＢ（Data Radio Bearer）がマッピングされるもの）
（６）ＢＳＲ  ＭＡＣ  ＣＥ（パディングＢＳＲ）
或いは、優先度制御部１０９は、以下の送信優先度を設定してもよい。
【００４８】
（１）Ｃ−ＲＮＴＩ  ＭＡＣ  ＣＥ又はＣＣＣＨ
（２）ＢＳＲ  ＭＡＣ  ＣＥ（パディングＢＳＲ以外）
（３）送信データ（ＣＣＣＨ以外の特定の論理チャネルのＲＬＣ（Radio Link Control）／ＰＤＣＰ（Packet Data Convergence Protocol）  ｃｏｎｔｒｏｌ  ＰＤＵ）
（４）ＰＨＲ
（５）送信データ（ＣＣＣＨ以外の特定の論理チャネルのＲＬＣ（Radio Link Control）／ＰＤＣＰ（Packet Data Convergence Protocol）  ｃｏｎｔｒｏｌ  ＰＤＵ）
（６）ＢＳＲ  ＭＡＣ  ＣＥ（パディングＢＳＲ）
タイマ管理部１１１は、ＰＨＲの送信に関連するタイマを管理する。ＰＨＲの送信に関連するタイマとして、ＰＨＲの送信優先度が下げられた場合に、ＰＨＲの送信条件を満足してから所定期間経過した場合にＰＨＲの送信優先度を元に戻すために用いられるＰＨＲ送信タイマがある。また、頻繁にＰＨＲが送信されることを抑制するため、ＰＨＲを報告してから一定の期間内にＰＨＲを送信しないようにするＰＨＲ送信抑制タイマ（PHR prohibitTimer）がある。タイマを用いた送信優先度の制御については、以下に詳細に説明する。
【００４９】
リソース要求部１１３は、バッファステータスレポート（ＢＳＲ）を基地局に送信することにより、データ管理部１０７において格納されているデータを送信するためのリソースを要求する。リソース要求部１１３は、データ管理部１０７において格納されているデータ及び制御情報のデータ量と、ＰＨＲのデータ量とを加えたデータ量のリソースを要求してもよい。例えば、ＰＨＲの送信優先度が下げられてから所定期間経過し、ＰＨＲの送信優先度が元に戻される場合、リソース要求部１１３がＰＨＲのデータ量を加味してリソースを要求することにより、他のデータ及び制御情報と共にＰＨＲを送信することが可能になる。
【００５０】
＜移動局の動作＞
図４に、本発明の実施例に係る移動局のＰＨＲ送信方法を示す。
【００５１】
この方法は、ＰＨＲの送信条件を満足したときに開始する。優先度制御部１０９は、ＭｅＮＢ配下のセルでＰＨＲの送信条件が満たされたか否かを判断する（ステップＳ１０１）。例えば、ＭｅＮＢのみに対するパスロスが変化し、ＳｅＮＢに対するパスロスが変化しない場合、優先度制御部１０９は、ＭｅＮＢ配下のセルでＰＨＲの送信条件が満たされたと判断する。同様に、ＳｅＮＢのみに対するパスロスが変化し、ＭｅＮＢに対するパスロスが変化しない場合、優先度制御部１０９は、ＳｅＮＢ配下のセルでＰＨＲの送信条件が満たされたと判断する。
【００５２】
ＭｅＮＢ配下のセルでＰＨＲの送信条件が満たされた場合（ステップＳ１０１：ＹＥＳ）、優先度制御部１０９は、ＳｅＮＢにＰＨＲを送信するときの送信優先度を下げ、ＵＬ信号送信部１０３からＰＨＲを送信する（ステップＳ１０３）。一方、ＳｅＮＢ配下のセルでＰＨＲの送信条件が満たされた場合（ステップＳ１０１：ＮＯ）、優先度制御部１０９は、ＭｅＮＢにＰＨＲを送信するときの送信優先度を下げ、ＵＬ信号送信部１０３からＰＨＲを送信する（ステップＳ１０５）。
【００５３】
タイマ管理部１１１は、ＰＨＲの送信条件を満足した場合、ＰＨＲ送信タイマを起動し、所定期間内にＰＨＲが送信されたか否かを管理する（ステップＳ１０７）。ＰＨＲ送信タイマは、送信優先度が下げられたＰＨＲが長期間送信されないことを回避するため、ＰＨＲの送信条件を満足してから所定期間経過した場合にＰＨＲの送信優先度を元に戻すためのタイマである。
【００５４】
所定期間内にＰＨＲが送信された場合（ステップＳ１０７：ＹＥＳ）、この方法は終了する。一方、所定期間内にＰＨＲが送信されない場合（ステップＳ１０７：ＮＯ）、優先度制御部１０９は、ＰＨＲの送信優先度を元に戻し、ＵＬ信号送信部１０３からＰＨＲを送信する（ステップＳ１０９）。
【００５５】
図５〜図７を参照して、ＰＨＲ送信タイマを用いたときのＰＨＲ送信について更に説明する。ここでは、ＭｅＮＢ配下のセルでＰＨＲの送信条件を満足した場合を仮定する。
【００５６】
ＭｅＮＢ配下のセルでＰＨＲの送信条件を満足した場合、ＳｅＮＢに対するＰＨＲの送信優先度は下げられる。図５に示すように、ＳｅＮＢに対するＰＨＲより送信優先度の高いデータが存在する場合、優先度の高いデータがＰＨＲよりも先に送信される。ＰＨＲ送信タイマが満了する前に優先度の高いデータが枯渇した時点で、ＰＨＲは送信される。この時点で、ＰＨＲ送信タイマは停止してもよい。また、ＰＨＲ送信抑制タイマ（PHR prohibitTimer）も再起動されてもよい。
【００５７】
図６に示すように、ＳｅＮＢに対するＰＨＲより送信優先度の高いデータが存在する場合、優先度の高いデータがＰＨＲよりも先に送信される。優先度の高いデータの送信中にＰＨＲ送信タイマが満了した場合、ＰＨＲの優先度が元に戻され、優先度の高いデータ（ＰＨＲの優先度が下げられたことにより相対的に優先度が高くなったデータ）が送信バッファ内に存在していたとしても、ＰＨＲが送信される。この時点で、ＰＨＲ送信タイマは再起動されてもよい。また、ＰＨＲ送信抑制タイマも再起動されてもよい。
【００５８】
図７に示すように、ＳｅＮＢに対するＰＨＲより送信優先度の高いデータが存在する場合、優先度の高いデータがＰＨＲよりも先に送信される。ＰＨＲ送信タイマが満了する前に、ＳｅＮＢ配下のセルでＰＨＲの送信条件を満足した場合、優先度の高いデータ（ＰＨＲの優先度が下げられたことにより相対的に優先度が高くなったデータ）が送信バッファ内に存在していたとしても、ＰＨＲが送信される。
【００５９】
なお、ＰＨＲの送信効率を高めるため、送信優先度の高いデータを送信する際に、ＰＨＲのデータ量を加味したＢＳＲが用いられてもよい。図８に、ＰＨＲのデータ量を加味したＢＳＲを用いるときのＰＨＲ送信の概略図を示す。
【００６０】
例えば、ＭｅＮＢ配下のセルでＰＨＲの送信条件を満足した場合、ＳｅＮＢに対するＰＨＲの送信優先度は下げられる。図８（Ａ）には、150byteの優先度の高いデータが発生した場合、ＰＨＲのデータ量を加味せずにＢＳＲを基地局に報告する場合が示されている。移動局がＰＨＲのデータ量を加味せずに150byteのデータ量を示すＢＳＲを報告した場合、基地局から150byteのデータを送信するためのリソースが割り当てられる。このとき、ＰＨＲを送信するためのリソースはリソース割り当て情報（UL grant）により割り当てられていないため、移動局はＰＨＲを送信することはできない。ＰＨＲを送信するためには、ＰＨＲ  ＭＡＣ  ＣＥを送信するために必要なデータ量を示すＢＳＲを基地局に報告する必要がある。
【００６１】
一方、図８（Ｂ）には、150byteの優先度の高いデータが発生した場合、ＰＨＲのデータ量を加味してＢＳＲを基地局に報告する場合が示されている。移動局が150byteのデータ量にＰＨＲ  ＭＡＣ  ＣＥのデータ量（α）を加味したＢＳＲを報告した場合、基地局から150byteのデータに加えてＰＨＲを送信するためのリソースが割り当てられる。ＰＨＲを送信するためのリソースがリソース割り当て情報（UL grant）により割り当てられているため、移動局は優先度の高いデータに続いてＰＨＲを送信することが可能になる。
【００６２】
＜本発明の実施例の効果＞
本発明の実施例によれば、Dual ConnectivityにおいてＰＨＲの送信優先度を制御することにより、スループットの向上を図ることが可能になる。具体的には、パワーヘッドルームの送信条件が満足されていない基地局に対して、ＰＨＲの送信優先度を下げることにより、特定のデータ又は制御情報を迅速に送信することが可能になる。
【００６３】
また、ＰＨＲ送信タイマを使用することにより、ＰＨＲの送信優先度を下げたことによりＰＨＲが長期間送信されないことを回避することが可能になる。
【００６４】
また、ＰＨＲのデータ量を加味したＢＳＲを用いることにより、ＰＨＲの送信効率を高めることが可能になる。
【００６５】
説明の便宜上、本発明の実施例に係る移動局は機能的なブロック図を用いて説明しているが、本発明の実施例に係る移動局は、ハードウェア、ソフトウェアまたはそれらの組み合わせで実現されてもよい。また、各機能部が必要に応じて組み合わせて使用されてもよい。また、本発明の実施例に係る方法は、実施例に示す順序と異なる順序で実施されてもよい。
【００６６】
以上、Dual ConnectivityにおいてＰＨＲの送信優先度を制御することにより、スループットの向上を図るための手法について説明したが、本発明は、上記の実施例に限定されることなく、特許請求の範囲内において、種々の変更・応用が可能である。
【符号の説明】
【００６７】
１０    移動局
１０１  ＤＬ信号受信部
１０３  ＵＬ信号送信部
１０５  ＰＨＲ算出部
１０７  データ管理部
１０９  優先度制御部
１１１  タイマ管理部
１１３  リソース要求部
【図１】
2015226283.tif 000006
【図２】
2015226283.tif 000007
【図３】
2015226283.tif 000008
【図４】
2015226283.tif 000009
【図５】
2015226283.tif 000010
【図６】
2015226283.tif 000011
【図７】
2015226283.tif 000012
【図８】
2015226283.tif 000013